(57)【要約】【課題】印刷部分にコーティングを施すためのコータにおいて、コータ停止時にコータ版面上のニスが乾燥してコータ版が使用不能になるのを防止する装置を提供する。【解決手段】印刷面にニスをコーティングするためのコータにおいて、洗浄ローラ着脱用エアシリンダ１６によってコータ版胴の版面に接触・離脱が可能なように設けられた洗浄ローラ１３、この洗浄ローラ１３へ水又は温水を供給する水舟２１をもつ給水装置を設けてある。水舟２１内の水を所定の時間間隔で自動交換させる給排系統を有している。この装置によれば、コーティング停止時に、洗浄ローラ１３を版胴１のコータ版面へ接触させることによりコータ版面を水で濡らしてニスが乾燥するのを防止するとともに、コータ版面上に付着したニスを洗浄ローラ１３側に移して除去する。【選択図】            図１
2004181899.tif 000002
【特許請求の範囲】
【請求項１】
印刷面にニスをコーティングするためのコータにおいて、コータ版胴の版面に接触・離脱が可能に設けられた洗浄ローラ、および同洗浄ローラに水又は温水を供給する水舟をもつ給水装置を有することを特徴とするコータ版面ニス乾燥防止装置。
【請求項２】
前記洗浄ローラの表面をゴム又は合成樹脂製としたことを特徴とする請求項１に記載のコータ版面ニス乾燥防止装置。
【請求項３】
前記洗浄ローラを複数段に設け、２段目の洗浄ローラの表面を金属又は合成樹脂製としたことを特徴とする請求項１に記載のコータ版面ニス乾燥防止装置。
【請求項４】
前記洗浄ローラを前記版胴より遅い周速度で回転駆動する駆動装置を設けたことを特徴とする請求項１〜３のいずれかに記載のコータ版面ニス乾燥防止装置。
【請求項５】
前記水舟内の水を所定の時間間隔で自動交換させる洗浄水の給排系統を有することを特徴とする請求項１に記載のコータ版面ニス乾燥防止装置。
【請求項６】
前記洗浄ローラの間のニップ圧が調節可能に構成されていることを特徴とする請求項３に記載のコータ版面ニス乾燥防止装置。
【発明の詳細な説明】
【０００１】
【発明の属する技術分野】
本発明は、枚葉印刷機で印刷された印刷面にニスなどのコーティング（本発明では、このコーティングをニスと総称する）のためのコータにおいて、そのコータ版面に付着したニスが乾燥するのを防止するための乾燥防止装置に関する。
【０００２】
【従来の技術】
枚葉印刷機で印刷後は、その印刷部分にニスでコーティングを施すことが行われる。このように印刷部分にコーティングを施すためのコーティング装置の一例を図５に示してある。図５において、１は版胴、２は圧胴、３と４はコーティングローラである。
【０００３】
版胴１には、ギャップと呼ばれる切欠き部５が設けられ、その切欠き部５には、版胴１の周面に取り付けられるコータ版の両端を挟んで保持する版端取付具６、７が配設されている。
【０００４】
８は、ニスを入れるコーティング液溜で、コーティングローラ４がコーティング液溜８内のニスに部分的に浸るように配置され、コーティングローラ４に付着したニスは、もう一方のコーティングローラ３の表面に移され、コーティングローラ３表面のニスは、版胴１の周面上に取り付けられたコータ版に付着される。
【０００５】
コータ版に転移されたニスは、版胴１と圧胴２の間のニップを通過する印刷紙９上の印刷部分に付着される。
コーティング装置は以上説明した構成のものであるが、印刷機は、連続印刷運転に入る前に、通常、色合わせ・見当調整などを行うので、その間はコーティングを施すべき印刷物がないので、コーティングローラ３は版胴１から離間されコーティング動作を停止する。
【０００６】
コーティング動作を停止している間も、コーティングローラ３、４は回転され、コーティングローラ３、４上でニスが乾燥して被膜を生成するのを防ぐようにしている。
一方、コータ版上に付着されたニスは、コーティング停止時に短時間で乾燥して被膜になってしまい、そのコータ版は使用不能となり、再開されるコーティング操作に支障を来す。
【０００７】
そのため、コーティング動作を停止する度に、オペレータが機上に駆け上がり、版胴１の上のコータ版面を拭き取っている。
【０００８】
このように、従来は、コーティング動作停止の度にコータ版面の水拭き作業が必要なため、機付人員を減らすことができないのみならず、その水拭き作業は機械の稼働率を低下させる原因となっていた。
【０００９】
【発明が解決しようとする課題】
本発明は、枚葉印刷機による印刷物の印刷部分にコーティングを施すためのコータにおいて、コータ停止時にコータ版面上のニスが乾燥してコータ版が使用不能になるのを防止するためのコータ版面ニス乾燥防止装置を提供することを課題としている。
【００１０】
【課題を解決するための手段】
本発明は、前記課題を解決するため、印刷面にコーティングを施すためのコータにおいて、版胴の版面に接触・離脱が可能に設けられた洗浄ローラ、および同洗浄ローラに水又は温水を供給する水舟をもつ給水装置を有することを特徴とするコータ版面ニス乾燥防止装置を提供する。
【００１１】
本発明のコータ版面ニス乾燥防止装置によれば、コーティング停止時に、洗浄ローラをコータ版面へ接触させることによりコータ版面を水で濡らしてニスが乾燥するのを防止するとともに、コータ版面上に付着したニスを洗浄ローラ側に移して除去する。
【００１２】
本発明によるコータ版面ニス乾燥防止装置において、前記した洗浄ローラの表面をゴム又は合成樹脂製とすることによって、コータ版面に対し洗浄ローラの馴染みを良くし、コータ版面を均一に濡らして乾燥を防止するとともにコータ版面上のニスを効率良く除去できるものとなる。
【００１３】
また、本発明によるコータ版面ニス乾燥防止装置において、その洗浄ローラを複数段に設け、２段目の洗浄ローラの表面を金属又は合成樹脂製とすると、洗浄ローラ間で移される水の量を適量に絞ることができて好ましい。
【００１４】
更にまた、本発明によるコータ版面ニス乾燥防止装置において、洗浄ローラを版胴の回転速度より遅い回転速度で駆動する駆動装置を設けることによって、洗浄ローラを版胴に接触させていないときも洗浄のローラを回転させ、洗浄ローラ側へコータ版から移ったニスが乾燥して乾燥防止装置が作動不能な事態となるのを防ぐことができるとともに、洗浄ローラが、回転している版胴に接触されたときに、回転していない洗浄ローラがコータ版に与える衝撃を和らげることができる。
【００１５】
また、版胴には切欠き部があり、版胴に対し接触されている洗浄ローラがこの切欠き部を通過している間に、洗浄ローラには回転力が伝わらないので洗浄ローラの回転が停止し、切欠き部を通過した洗浄ローラが再び版胴と接触するときに版胴に対し回転方向の衝撃を与えることになるが、洗浄ローラを駆動回転させておくことによって、その衝撃を和らげることができる。
【００１６】
また、本発明によるコータ版面ニス乾燥防止装置において、洗浄ローラを浸す水を入れておく水舟内の水を所定時間間隔毎に新しい水と自動交換させる洗浄水の給排系統を有する構成にしておくと、その水舟へ版胴側から移送されて来るニスが水舟内に溜まってしまうのを防ぐことができる。
【００１７】
更に、本発明によるコータ版面ニス乾燥防止装置において、洗浄ローラを複数段に設け、それら洗浄ローラの間のニップ圧を調節可能にしておくと、給水ローラから洗浄ローラへ流れる水量の変化を調節することができる。
【００１８】
【発明の実施の形態】
以下、本発明によるコータ版面ニス乾燥防止装置を、図１〜図４に示した実施の形態に基づいて具体的に説明する。
【００１９】
（第１実施形態）
まず、図１〜図３に示した第１実施形態によるコータ版面ニス乾燥防止装置について説明する。図１〜図３において、１０は洗浄ローラ取付アームで、略Ｌ字形をしていて、そのＬ字形の屈曲部分はフレーム１１に対し回転自在に支持された枢着点１２となっている。
【００２０】
洗浄ローラ取付アーム１０は、版胴１の両端側に互いに間隔を保って配設されており、洗浄ローラ取付アーム１０における枢着点１２よりも版胴１側には３つの洗浄ローラ１３、１４、１５が互いに平行に配設されて、それぞれ、回転自在に枢着されている。洗浄ローラ１４には、洗浄ローラ１３〜１５同士のニップ圧を調節するためのニップ圧調整装置２２が設けられており、このニップ圧調整装置２２は洗浄ローラ１３、１５に対し洗浄ローラ１４を押す力を増減してニップ圧を調節するように働く。
【００２１】
１６は洗浄ローラ着脱用エアシリンダで、同洗浄ローラ着脱用エアシリンダ１６はシリンダ側を、フレーム１１に取付けられた取付具１７に枢着点１８で取付けられ、ピストン側１９を洗浄ローラ取付アーム１０の一端（枢着点１２に対し洗浄ローラ１３〜１５が枢着されていない方の端）に枢着点２０によって連結されている。
【００２２】
洗浄ローラ着脱用エアシリンダ１６のピストン側１９が伸ばされると、洗浄ローラ取付アーム１０は枢着点１２のまわりに時計まわりに回動されて洗浄ローラ１３は版胴１から離れ、逆に、ピストン側１９が縮められると、洗浄ローラ１３は版胴１に接触されるように構成されている。
２１は、水を溜めるように形成された水舟で、洗浄ローラ１５が水舟２１内の水に部分的に浸る位置に配設されている。
【００２３】
洗浄ローラ１５の一方の端部には、洗浄ローラに対する回転駆動装置３０が設けられている。その回転駆動装置３０の構成を図２によって説明する。
図２に示すように、回転駆動装置３０は、フレーム１１に取付けられたギヤードモータ３１を有し、ギヤードモータ３１の回転は、カムクラッチ３２などの一方向クラッチと、ギヤ３３、３４を介して、洗浄ローラ１５に固定されたギヤ３５に伝えられ、洗浄ローラ１５を駆動回転するように構成されている。
３６はカップリングを示し、ギヤードモータ３１とカムクラッチ３２の間に介在されている。
【００２４】
洗浄ローラ１５に伝えられた回転は、洗浄ローラ１３〜１５間のニップを介して洗浄ローラ１４、１３へ伝えられるようになっている。
回転駆動装置３０は、洗浄ローラ１３に対し、版胴１の回転周速よりも遅い周速度を与えるように洗浄ローラを駆動回転する。
【００２５】
図３には、水舟２１に対する水又は温水からなる洗浄水の給排系統が示されている。４０は水又は温水供給装置で、水又は温水供給装置４０はポンプ４１によって水舟２１へ水又は温水を供給するようになっている。
４２は排水タンクで、この排水タンク４２は、水舟２１内の水を予め定めた時間間隔で排水するようになっている。これによって、水舟２１内に、版胴１からのニスが溜まらないようにする。
なお、水舟２１に対する水又は温水供給装置４０からの給水は、水舟２１内に所定の水が常に溜められるように行われる。
【００２６】
図１〜図３に示した第１実施形態によるコータ版面ニス乾燥防止装置は以上の構成を有しており、その作動について、以下説明する。
図５によって説明したように、版胴１のコータ版面には印刷面に対しコーティングを行うためニスが付着されるが、コーティング動作を中断すると、そのニスは短時間のうちに乾燥するのであるが、この第１実施形態によるコータ版面ニス乾燥防止装置によると、版胴１におけるコーティング動作が中断すると、洗浄ローラ着脱用エアシリンダ１６のピストン側１９が縮められる。
【００２７】
これによって、洗浄ローラ取付アーム１０は枢着点１２のまわりに反時計方向に回転し、洗浄ローラ１３が版胴１の周面に接触され、版胴１の上のコータ版面には、洗浄ローラ１５、１４を介して洗浄ローラ１３へ水舟２１から与えられる水又は温水が版胴１のコータ版面に付着され、コータ版面のニスが乾燥するのを防止し、併せて、コータ版面に付着しているニスを洗浄ローラ１３へ移し、洗浄ローラ１４、１５を介して水舟２１内の水へとニスを移動させる。
【００２８】
コータの版胴１には、周面に取付けられる版の端を締め付けて取付けるための機構を収納する切欠き部５が周面に形成されており、その切欠き部５部では、版胴１から洗浄ローラ１３への回転が伝わらず、版胴１と洗浄ローラ１３との間の面の接触は断たれるが、前記したように洗浄ローラ１３は、ギヤードモータ３１からの駆動力で版胴１よりも低速の周速となるように回転されているので、洗浄ローラ１３が版胴１の切欠き部５の部分を通過するときも回転が続けられていて、版胴１の切欠き部５を通過して版胴１の周面と再び接触したときに、版胴１側から洗浄ローラ１３が衝撃的な回転力を与えられることがない。
【００２９】
また、コータの版胴１よりも小さい周速で回転されている洗浄ローラ１３が版胴１と接触して、その駆動速度より大きい速度で回転されたときに支障が生じないよう、ギヤードモータ３１と、洗浄ローラへの駆動力を伝えるギヤ３３との間には一方向クラッチとしてのカムクラッチ３２が介在されている。
こうしてコータ版面の乾燥が防止される。ニスが洗浄された版胴１が再びコーティング動作を開始するときは、洗浄ローラ着脱用エアシリンダ１６のピストン側１９が伸張され、洗浄ローラ１３は版胴１の周面からの接触を解除される。
【００３０】
以上のようにして、コーティング停止時の版胴１に対しては洗浄ローラ１３が当接されて版胴１のコータ版面を濡らして付着しているニスの乾燥を防止するとともに、そのニスを洗浄ローラ１３によって除去することにより、コータ版面に乾燥したニスが付着した状態となってコータ版が使用不能になるのを防ぐことができる。
また、洗浄ローラは、版胴１のコータ版面を洗浄していないときも、回転されることにより、洗浄ローラ自体も付着したニスが乾燥しない状態に保たれる。
【００３１】
（第２実施形態）
次に、図４に示す第２実施形態によるコータ版面ニス乾燥防止装置について説明する。この第２実施形態によるコータ版面ニス乾燥防止装置は、版胴１に接触・離間可能に配設された洗浄ローラ１３と、水舟２１内のニスに部分的に浸たる状態に配設された洗浄ローラ１５の２つのローラが洗浄ローラ取付アーム１０に取付けられている。
【００３２】
その他の構成は、図１〜図３に示された第１実施形態によるコータ版面ニス乾燥防止装置と実質同じであり、それらについての重複する説明は省略する。
この第２実施形態によるコータ版面ニス乾燥防止装置は、洗浄ローラが２つであって、構造が簡単化されている。
【００３３】
以上、本発明を図示した実施の形態に基づいて具体的に説明したが、本発明がこの実施形態に限定されず、種々の変形、変更を加えてよいことはいうまでもない。
例えば、図示した実施の形態では、洗浄ローラを版胴１に接離させる機構としてはエアシリンダを採用しているが、エアシリンダによるものの他、電磁的なものなど適宜の機構を採用することができる。
また、図示した装置では、洗浄ローラを版胴１よりも遅い周速度で駆動回転させているが、洗浄ローラの駆動回転は不可欠ではない。更に、図示した装置では、洗浄ローラ間のニップ圧を調整可能な構成としているが、このニップ圧を調整する機構も不可欠ではない。
【００３４】
【発明の効果】
以上説明したとおり、本発明は、印刷面にコーティングを施すためのコータにおいて、版胴の版面に接触・離脱が可能に設けられた洗浄ローラ、および同洗浄ローラに水又は温水を供給する水舟をもつ給水装置を有するコータ版面ニス乾燥防止装置を提供する。
【００３５】
本発明のコータ版面ニス乾燥防止装置によれば、コーティング停止時に、洗浄ローラをコータ版面へ接触させることによりコータ版面を水で濡らしてニスが乾燥するのを防止するとともに、コータ版面上に付着したニスを洗浄ローラ側に移して除去することができる。
【００３６】
本発明によるコータ版面ニス乾燥防止装置において、前記した洗浄ローラの表面をゴム又は合成樹脂製としたものでは、コータ版面に対し洗浄ローラの馴染みを良く、コータ版面を均一に濡らして乾燥を良好に防止するとともにコータ版面上のニスを効率良く除去できる。
【００３７】
また、本発明によるコータ版面ニス乾燥防止装置において、その洗浄ローラを複数段に設け、２段目の洗浄ローラの表面を金属又は合成樹脂製としたものでは、洗浄ローラ間で移される水の量を適量に絞ることができる。
【００３８】
更にまた、本発明によるコータ版面ニス乾燥防止装置において、洗浄ローラを版胴の回転速度より遅い回転速度で駆動する駆動装置を設けたものでは、洗浄ローラを版胴に接触させていないときも洗浄ローラを回転させ、洗浄ローラ側へコータ版から移ったニスが乾燥して乾燥防止装置が作動不能となる事態を防ぐことができるとともに、洗浄ローラが版胴の切欠き部を通過するとき、洗浄ローラがコータ版に与える衝撃を和らげることができる。
【００３９】
また、本発明によるコータ版面ニス乾燥防止装置において、洗浄ローラを浸す水を入れておく水舟内の水を所定時間間隔毎に新しい水と自動交換させる洗浄水の給排系統を有する構成を採用したものでは、その水舟へ版胴側から移送されて来るニスが水舟内に溜まってしまうのを防ぐことができる。
【００４０】
更に、本発明によるコータ版面ニス乾燥防止装置において、洗浄ローラを複数段に設け、それら洗浄ローラの間のニップ圧を調節可能にしたものでは、洗浄ローラへ流れる水量の変化を調節することができる。
【図面の簡単な説明】
【図１】本発明の第１実施形態によるコータ版面ニス乾燥防止装置を示す側面図。
【図２】本発明の第１実施形態によるコータ版面ニス乾燥防止装置における駆動側端部の平面図。
【図３】本発明の第１実施形態によるコータ版面ニス乾燥防止装置における洗浄水の供給系統を示す説明図。
【図４】本発明の第２実施形態によるコータ版面ニス乾燥防止装置を示す側面図。
【図５】印刷面にコーティングを付着させるためのコータの構成を示す側面図。
【符号の説明】
１        版胴
２        圧胴
３        コーティングローラ
４        コーティングローラ
５        切欠き部
６        版端取付具
７        版端取付具
８        コーティング液溜
９        印刷紙
１０      洗浄ローラ取付アーム
１１      フレーム
１２      枢着点
１３      洗浄ローラ
１４      洗浄ローラ
１５      洗浄ローラ
１６      洗浄ローラ着脱用エアシリンダ
１７      取付具
１８      枢着点
１９      ピストン側
２０      枢着点
２１      水舟
２２      ニップ圧調整装置
３０      回転駆動装置
３１      ギヤードモータ
３２      カムクラッチ
３３      ギヤ
３４      ギヤ
３５      ギヤ
３６      カップリング
４０      水又は温水供給装置
４１      ポンプ
４２      排水タンク
【図１】
2004181899.tif 000003
【図２】
2004181899.tif 000004
【図３】
2004181899.tif 000005
【図４】
2004181899.tif 000006
【図５】
2004181899.tif 000007